(57)【要約】【課題】携帯端末の使用者の状況に基づいて、第三者に使用者の状況を自動的に通知する。【解決手段】第三者は、親機１０ｂを用いて経路情報を設定する（ステップＳＴ１）。子機１０ａの更新部は、子機１０ａの経路情報の設定が完了したことを、たとえば電子メールで親機１０ｂに通知する（ステップＳＴ２）。子機１０ａの位置特定部は、自機の位置を特定する（ステップＳＴ３）。速さ算出部は、位置特定部からの位置情報と時刻を基に、子機１０ａの移動速度を算出する（ステップＳＴ４）。判断部は、位置特定部による経路情報が記憶部に記憶されている経路情報と異なると判断した場合、もしくは速さ算出部が算出した移動速度が通常の移動速度でないと判断した場合は、子機１０ａの通信部は、親機１０ｂにたとえば電子メールで緊急情報を通知する（ステップＳＴ５）。【選択図】図８
2008196900.tif 000002
【特許請求の範囲】
【請求項１】
所定の移動経路に関する情報を記憶する記憶部と、
自機の位置を特定する位置特定部と、
前記移動経路に関する情報と、前記位置特定部によって特定された前記自機の位置情報とに基づいて、前記自機の位置が前記移動経路上のいずれかの点を中心とした所定の半径の円以内に存在するか否かを判断する判断部と、
前記判断部による判断結果が、前記自機の位置が前記移動経路上のいずれかの点を中心とした所定の半径の円以内に存在しないという判断結果である場合に、前記自機に関する情報を送信する通信部と、
を有する電子機器。
【請求項２】
前記移動経路に関する情報が、前記判断部の判断を開始する開始時刻と前記判断部の判断を終了する終了時刻とを含み、
前記判断部は、
現在時刻が前記開始時刻と終了時刻との範囲内となった場合に、前記移動経路を用いて判断する
請求項１記載の電子機器。
【請求項３】
前記移動経路に関する情報が移動の速さの情報を含み、前記自機の位置と当該位置を特定した際の時刻とから前記自機の速さを算出する速さ算出部を有し、
前記位置特定部は、
前記位置情報を特定した際の時刻を取得し、
前記判断部は、
前記速さ算出部により算出された自機の速さが、前記移動経路に関する情報が有する移動の速さより速い場合に、前記自機に関する情報を送信する
請求項１または２に記載の電子機器。
【請求項４】
所定の移動経路に関する情報を有する電子機器と、
前記電子機器に前記移動経路を更新するための更新情報を送信する送信装置と、を有し、前記電子機器と前記送信装置とがネットワークに接続された通信システムであって、
上記電子機器は、
所定の移動経路に関する情報を記憶する記憶部と、
自機の位置を特定する位置特定部と、
前記移動経路に関する情報と、前記位置特定部によって特定された前記自機の位置情報とに基づいて、前記自機の位置が前記移動経路上のいずれかの点を中心とした所定の半径の円以内に存在するか否かを判断する判断部と、
前記判断部による判断結果が、前記自機の位置が前記移動経路上のいずれかの点を中心とした所定の半径の円以内に存在しないという判断結果である場合に、前記自機に関する情報を送信する通信部と、
前記送信装置から受信した更新情報に基づいて前記移動経路に関する情報を更新する更新部と、
を有する通信システム。
【請求項５】
前記送信装置は、
前記更新情報に当該送信装置を識別するための識別情報を付与し、
前記更新部は、
前記識別情報が、所定の識別情報である場合に前記移動経路に関する情報を更新する
請求項４記載の通信システム。
【請求項６】
所定の移動経路に関する情報を記憶する記憶部と、
自機の位置情報を外部装置から受信する位置情報受信部と、
前記移動経路に関する情報と、前記位置情報とに基づいて、前記自機の位置が前記移動経路上のいずれかの点を中心とした所定の半径の円以内に存在するか否かを判断する判断部と、
前記判断部による判断結果が、前記自機の位置が前記移動経路上のいずれかの点を中心とした所定の半径の円以内に存在しないという判断結果である場合に、前記自機に関する情報を送信する通信部と、
を有する電子機器。
【請求項７】
前記移動経路に関する情報が、前記判断部の判断を開始する開始時刻と前記判断部の判断を終了する終了時刻とを含み、
前記判断部は、
現在時刻が前記開始時刻と終了時刻との範囲内となった場合に、前記移動経路を用いて判断する
請求項６記載の電子機器。
【請求項８】
前記位置情報が前記自機の位置を特定した際の時刻を含み、前記移動経路に関する情報が移動の速さの情報を含み、前記自機の位置と当該位置を特定した際の時刻とから前記自機の速さを算出する速さ算出部を有し、
前記判断部は、
前記速さ算出部により算出された自機の速さが、前記移動経路に関する情報が有する移動の速さより速い場合に、前記自機に関する情報を送信する
請求項６または７に記載の電子機器。
【請求項９】
所定の経路情報に関する情報を有する電子機器と、
前記電子機器に前記経路情報を更新するための更新情報を送信する送信装置と、
を有し、前記電子機器と前記送信装置とがネットワークに接続された通信システムであって、
上記電子機器は、
所定の移動経路に関する情報を記憶する記憶部と、
自機の位置情報を外部装置から受信する位置情報受信部と、
前記移動経路に関する情報と、前記位置情報とに基づいて、前記自機の位置が前記移動経路上のいずれかの点を中心とした所定の半径の円以内に存在するか否かを判断する判断部と、
前記判断部による判断結果が、前記自機の位置が前記移動経路上のいずれかの点を中心とした所定の半径の円以内に存在しないという判断結果である場合に、前記自機に関する情報を送信する通信部と、
前記送信装置から受信した更新情報に基づいて前記移動予定に関する情報を更新する更新部と、
を有する通信システム。
【請求項１０】
前記送信装置は、
前記更新情報に当該送信装置を識別するための識別情報を付与し、
前記更新部は、
前記識別情報が、所定の識別情報である場合に前記移動経路に関する情報を更新する
請求項９記載の通信システム。
【請求項１１】
所定の移動経路に関する情報を記憶する記憶部と、
電子機器の位置を特定する位置特定部と、
前記移動経路に関する情報と、前記位置特定部によって特定された前記電子機器の位置情報とに基づいて、前記自機の位置が前記移動経路上のいずれかの点を中心とした所定の半径の円以内に存在するか否かを判断する判断部と、
前記判断部による判断結果が、前記電子機器の位置が前記移動経路上のいずれかの点を中心とした所定の半径の円以内に存在しないという判断結果である場合に、前記電子機器に関する情報を送信する通信部と、
を有するサーバ装置。
【請求項１２】
前記移動経路に関する情報が、前記判断部の判断を開始する開始時刻と前記判断部の判断を終了する終了時刻とを含み、
前記判断部は、
現在時刻が前記開始時刻と終了時刻との範囲内となった場合に、前記移動経路を用いて判断する
請求項１１記載のサーバ装置。
【請求項１３】
前記移動経路に関する情報が移動の速さの情報を含み、前記電子機器の位置と当該位置を特定した際の時刻とから前記電子機器の速さを算出する速さ算出部を有し、
前記位置特定部は、
前記位置情報を特定した際の時刻を取得し、
前記判断部は、
前記速さ算出部により算出された電子機器の速さが、前記移動経路に関する情報が有する移動の速さより速い場合に、前記電子機器に関する情報を送信する
請求項１１または１２記載のサーバ装置。
【請求項１４】
所定の移動経路に関する情報を有するサーバ装置と、
前記サーバ装置に前記移動経路を更新するための更新情報を送信する送信装置と、を有し、前記サーバ装置と前記送信装置とがネットワークに接続された通信システムであって、
上記サーバ装置は、
所定の移動経路に関する情報を記憶する記憶部と、
電子機器の位置を特定する位置特定部と、
前記移動経路に関する情報と、前記位置特定部によって特定された前記電子機器の位置情報とに基づいて、前記自機の位置が前記移動経路上のいずれかの点を中心とした所定の半径の円以内に存在するか否かを判断する判断部と、
前記判断部による判断結果が、前記電子機器の位置が前記移動経路上のいずれかの点を中心とした所定の半径の円以内に存在しないという判断結果である場合に、前記電子機器に関する情報を送信する通信部と、
前記送信装置から受信した更新情報に基づいて前記移動経路に関する情報を更新する更新部と、
を有する通信システム。
【請求項１５】
前記送信装置は、
前記更新情報に当該送信装置を識別するための識別情報を付与し、
前記更新部は、
前記識別情報が、所定の識別情報である場合に前記移動経路に関する情報を更新する
請求項１４記載の通信システム。
【発明の詳細な説明】
【技術分野】
【０００１】
本発明は、電子機器、サーバ装置及び通信システムに関するものである。
【背景技術】
【０００２】
たとえば、携帯電話等の携帯端末の使用者が、緊急時に所定の手続きに従って端末を操作すると、携帯端末のブザーが鳴る、あるいは使用者の状況等が記載された電子メールが所定の送信先に送信されて、使用者の緊急事態が第三者に通知される防犯システムがある。また、ＧＰＳ（Global Positioning System：全地球測位システム）等の衛星測位システムを採用し、緊急時に使用者の位置情報等が自動的に第三者に通知される防犯システムもある（たとえば、特許文献１を参照）。
【０００３】
【特許文献１】特開２００４−３６２０３０号公報
【発明の開示】
【発明が解決しようとする課題】
【０００４】
従来の防犯システムでは、緊急事に携帯端末の使用者自身が所定の手順に従ってボタンを押すなどの操作を要する。また、緊急事態を通知するための操作手順は、通常時に実行しない操作手順を要することが多い。そのため、使用者が置かれている状況によっては、緊急時の携帯端末の操作は困難である。特に幼児が携帯端末の使用者である場合には、携帯端末の操作はさらに困難である。また、ＧＰＳ機能を採用して自動的に使用者の位置等が第三者に通知される防犯システムにおいても、使用者に危険が迫っているか否かを判断できない。また、使用者が第三者に緊急事態を通知するためには、使用者自身が緊急事態を認識し、防犯システムを作動させる必要があるため、第三者は使用者の置かれている状況を直ちに知ることができない。
【０００５】
本発明は、上記事情に鑑みなされたもので、携帯端末の使用者の状況に基づいて、第三者に使用者の状況を通知する電子機器、サーバ装置及び通信システムを提供することを目的とする。
【課題を解決するための手段】
【０００６】
本発明の第１の観点の電子機器は、所定の移動経路に関する情報を記憶する記憶部と、自機の位置を特定する位置特定部と、前記移動経路に関する情報と、前記位置特定部によって特定された前記自機の位置情報とに基づいて、前記自機の位置が前記移動経路上のいずれかの点を中心とした所定の半径の円以内に存在するか否かを判断する判断部と、前記判断部による判断結果が、前記自機の位置が前記移動経路上のいずれかの点を中心とした所定の半径の円以内に存在しないという判断結果である場合に、前記自機に関する情報を送信する通信部と、を有する。
【０００７】
好適には、前記移動経路に関する情報が、前記判断部の判断を開始する開始時刻と前記判断部の判断を終了する終了時刻とを含み、前記判断部は、現在時刻が前記開始時刻と終了時刻との範囲内となった場合に、前記移動経路を用いて判断する。
【０００８】
好適には、前記移動経路に関する情報が移動の速さの情報を含み、前記自機の位置と当該位置を特定した際の時刻とから前記自機の速さを算出する速さ算出部を有し、前記位置特定部は、前記位置情報を特定した際の時刻を取得し、前記判断部は、前記速さ算出部により算出された自機の速さが、前記移動経路に関する情報が有する移動の速さより速い場合に、前記自機に関する情報を送信する。
【０００９】
本発明の第２の観点の通信システムは、所定の移動経路に関する情報を有する電子機器と、前記電子機器に前記移動経路を更新するための更新情報を送信する送信装置と、を有し、前記電子機器と前記送信装置とがネットワークに接続された通信システムであって、上記電子機器は、所定の移動経路に関する情報を記憶する記憶部と、自機の位置を特定する位置特定部と、前記移動経路に関する情報と、前記位置特定部によって特定された前記自機の位置情報とに基づいて、前記自機の位置が前記移動経路上のいずれかの点を中心とした所定の半径の円以内に存在するか否かを判断する判断部と、前記判断部による判断結果が、前記自機の位置が前記移動経路上のいずれかの点を中心とした所定の半径の円以内に存在しないという判断結果である場合に、前記自機に関する情報を送信する通信部と、前記送信装置から受信した更新情報に基づいて前記移動経路に関する情報を更新する更新部と、を有する。
【００１０】
好適には、前記送信装置は、前記更新情報に当該送信装置を識別するための識別情報を付与し、前記更新部は、前記識別情報が、所定の識別情報である場合に前記移動経路に関する情報を更新する。
【００１１】
本発明の第３の観点の電子機器は、所定の移動経路に関する情報を記憶する記憶部と、自機の位置情報を外部装置から受信する位置情報受信部と、前記移動経路に関する情報と、前記位置情報とに基づいて、前記自機の位置が前記移動経路上のいずれかの点を中心とした所定の半径の円以内に存在するか否かを判断する判断部と、前記判断部による判断結果が、前記自機の位置が前記移動経路上のいずれかの点を中心とした所定の半径の円以内に存在しないという判断結果である場合に、前記自機に関する情報を送信する通信部と、を有する。
【００１２】
好適には、前記移動経路に関する情報が、前記判断部の判断を開始する開始時刻と前記判断部の判断を終了する終了時刻とを含み、前記判断部は、現在時刻が前記開始時刻と終了時刻との範囲内となった場合に、前記移動経路を用いて判断する。
【００１３】
好適には、前記位置情報が前記自機の位置を特定した際の時刻を含み、前記移動経路に関する情報が移動の速さの情報を含み、前記自機の位置と当該位置を特定した際の時刻とから前記自機の速さを算出する速さ算出部を有し、前記判断部は、前記速さ算出部により算出された自機の速さが、前記移動経路に関する情報が有する移動の速さより速い場合に、前記自機に関する情報を送信する。
【００１４】
本発明の第４の観点の通信システムは、所定の経路情報に関する情報を有する電子機器と、前記電子機器に前記経路情報を更新するための更新情報を送信する送信装置と、を有し、前記電子機器と前記送信装置とがネットワークに接続された通信システムであって、上記電子機器は、所定の移動経路に関する情報を記憶する記憶部と、自機の位置情報を外部装置から受信する位置情報受信部と、前記移動経路に関する情報と、前記位置情報とに基づいて、前記自機の位置が前記移動経路上のいずれかの点を中心とした所定の半径の円以内に存在するか否かを判断する判断部と、前記判断部による判断結果が、前記自機の位置が前記移動経路上のいずれかの点を中心とした所定の半径の円以内に存在しないという判断結果である場合に、前記自機に関する情報を送信する通信部と、前記送信装置から受信した更新情報に基づいて前記移動予定に関する情報を更新する更新部と、を有する。
【００１５】
好適には、前記送信装置は、前記更新情報に当該送信装置を識別するための識別情報を付与し、前記更新部は、前記識別情報が、所定の識別情報である場合に前記移動経路に関する情報を更新する。
【００１６】
本発明の第５の観点のサーバ装置は、所定の移動経路に関する情報を記憶する記憶部と、電子機器の位置を特定する位置特定部と、前記移動経路に関する情報と、前記位置特定部によって特定された前記電子機器の位置情報とに基づいて、前記自機の位置が前記移動経路上のいずれかの点を中心とした所定の半径の円以内に存在するか否かを判断する判断部と、前記判断部による判断結果が、前記電子機器の位置が前記移動経路上のいずれかの点を中心とした所定の半径の円以内に存在しないという判断結果である場合に、前記電子機器に関する情報を送信する通信部と、を有する。
【００１７】
好適には、前記移動経路に関する情報が、前記判断部の判断を開始する開始時刻と前記判断部の判断を終了する終了時刻とを含み、前記判断部は、現在時刻が前記開始時刻と終了時刻との範囲内となった場合に、前記移動経路を用いて判断する。
【００１８】
好適には、前記移動経路に関する情報が移動の速さの情報を含み、前記電子機器の位置と当該位置を特定した際の時刻とから前記電子機器の速さを算出する速さ算出部を有し、前記位置特定部は、前記位置情報を特定した際の時刻を取得し、前記判断部は、前記速さ算出部により算出された電子機器の速さが、前記移動経路に関する情報が有する移動の速さより速い場合に、前記電子機器に関する情報を送信する。
【００１９】
本発明の第６の観点の通信システムは、所定の移動経路に関する情報を有するサーバ装置と、前記サーバ装置に前記移動経路を更新するための更新情報を送信する送信装置と、を有し、前記サーバ装置と前記送信装置とがネットワークに接続された通信システムであって、上記サーバ装置は、所定の移動経路に関する情報を記憶する記憶部と、電子機器の位置を特定する位置特定部と、前記移動経路に関する情報と、前記位置特定部によって特定された前記電子機器の位置情報とに基づいて、前記自機の位置が前記移動経路上のいずれかの点を中心とした所定の半径の円以内に存在するか否かを判断する判断部と、前記判断部による判断結果が、前記電子機器の位置が前記移動経路上のいずれかの点を中心とした所定の半径の円以内に存在しないという判断結果である場合に、前記電子機器に関する情報を送信する通信部と、前記送信装置から受信した更新情報に基づいて前記移動経路に関する情報を更新する更新部と、を有する。
【００２０】
好適には、前記送信装置は、前記更新情報に当該送信装置を識別するための識別情報を付与し、前記更新部は、前記識別情報が、所定の識別情報である場合に前記移動経路に関する情報を更新する。
【発明の効果】
【００２１】
本発明によれば、携帯端末の使用者の状況に基づいて、第三者に使用者の状況を通知する電子機器、サーバ装置及び通信システムを提供することができる。
【発明を実施するための最良の形態】
【００２２】
以下に、本発明の実施形態を図面に関連づけて説明する。
【００２３】
（第１実施形態）
図１は、本実施形態に係る通信システムの一構成例を示す図である。
【００２４】
本通信システム１は、図１に示すように、子機１０ａ（本発明の電子機器に対応）、子機１０ａの更新部１０１、親機１０ｂ（本発明の送信装置に対応）、ＧＰＳ衛星２０、基地局３０、サーバ装置４０（本発明の外部装置に対応）、および通信網５０で構成されている。
【００２５】
図１に示すように、子機１０ａおよび親機１０ｂは、たとえば携帯電話機であって、基地局３０を介して通信網５０に接続されている。また、子機１０ａおよび親機１０ｂは、無線等により基地局３０を介して通信網５０に接続されているサーバ装置４０の制御にしたがってデータ通信または音声通信を行う。なお、データ通信には、たとえば電子メール等の文字情報や画像等のデータが含まれる。また、子機１０ａは、ＧＰＳ機能を有し、ＧＰＳ衛星２０と通信を行って測位計算をし、子機１０ａ自身の位置を測定できる。また、更新部１０１は、たとえば子機１０ａが親機１０ｂから受信した経路情報に基づいて、子機１０ａの経路情報を最新の経路情報に更新する。なお、本実施形態に係る経路情報については後述する。
【００２６】
なお、説明を簡単にするために、以後の説明において、子機１０ａの使用者を単に使用者、親機１０ｂの使用者を単に第三者と記す。
【００２７】
次に、上記で述べた経路情報について説明する。
【００２８】
本実施形態に係る経路情報とは、たとえば使用者の出発地から目的地まで辿る経路や移動時刻、移動速度等に関する情報である。この経路情報の具体例について、図２を参照しながら説明する。
【００２９】
図２は、本実施形態に係る経路情報を説明するための一具体例を示す図である。
図２（ａ）は、使用者が出発地から目的地まで辿る経路を示す一具体例の図である。また、図２（ｂ）は、一例として、移動経路別に、使用者の開始時刻と終了時刻、および移動手段の情報を示している。
【００３０】
図２（ａ）に示すように、経路Ｐ１は、使用者が地点Ａと地点Ｂとの間を往復する経路であり、経路Ｐ２は、使用者が地点Ａと地点Ｃとの間を往復する経路である。また、図２（ｂ）に示すように、開始時刻とは、使用者の状況の通知処理を開始させる時刻であり、終了時刻とは、使用者の状況の通知処理を終了させる時刻であり、各開始時刻と終了時刻の組に対して経路が設定され、設定経路とは、図２（ａ）に示すような使用者が地点間を移動する経路であり、移動速度とは、使用者の移動手段ごとのおよその移動速度である。移動速度について一具体例を挙げると、移動手段が徒歩であれば移動速度４ｋｍ／ｓ以下、自転車であれば移動速度１５ｋｍ／ｍ以下のような速度である。これらの開始時刻、終了時刻、経路、移動速度等の情報は、任意に設定できる。なお、本実施形態を含む以後の説明において、速度とは速度の大きさ（速さ）を表している。
【００３１】
本実施形態では、このような経路情報の設定機能をスケジューリング機能と呼ぶ。
【００３２】
次に、子機１０ａの構成例について図３、図４を参照しながら説明する。
【００３３】
図３は、本実施形態に係る子機１０ａの外観を示す一例の図である。また、図４は、本実施形態に係る子機１０ａの構成例を示すブロック図である。
【００３４】
図３に示すような子機１０ａは、表示装置１０２、受話用スピーカ１０３、操作部１０４、および送話用マイク１０５で構成されている。さらに子機１０ａは、図４に示すように、更新部１０１、記憶部１０６、位置特定部１０７、判断部１０８、通信部１０９、通信用アンテナ１１０、ＧＰＳ通信部１１１、ＧＰＳ用アンテナ１１２、速さ算出部１１３、制御部１１４、バッテリ１１５、および外部電源１１６で構成されている。
【００３５】
図３に示すように、表示装置１０２は、現在時刻や入力情報などの各種情報の他、電子メール等の文字情報や画像等を表示し、たとえば液晶パネルで構成されている。
【００３６】
受話用スピーカ１０３は、通話における通話相手の音声の音声信号に応じた音、着信音、着信メロディ、および音声メッセージ等の音声情報を報知する。なお、子機１０ａの構成によっては、着信音、着信メロディ、および音声メッセージ等の音声情報は、図示しない報知用スピーカにて、通話の音声信号とは別に報知することもできる。
【００３７】
操作部１０４は、テンキー等の所定の配列形態を有する複数のボタンで構成され、制御部１１４に所定の指示を与える。
【００３８】
送話用マイク１０５は、通話の際に使用者の音声等が入力される。
【００３９】
図４に示すように、子機１０ａの更新部１０１は、親機１０ｂから経路情報を取得し、自機（子機１０ａ）の経路情報を更新する。
【００４０】
記憶部１０６は、使用者の移動経路に関する経路情報を記憶する。また、記憶部１０６は、たとえば使用者の個人情報、通話相手の名前、通話相手の電話番号、通話相手の電子メールアドレス等の情報を含むアドレス帳情報、着信音、着信メロディ、および音声メッセージ等の音声情報、並びに各種アイコン等の画像データを記憶する。
【００４１】
位置特定部１０７は、ＧＰＳ通信部１１１を介してＧＰＳ衛星２０（図１を参照）と通信を行い、ＧＰＳ衛星２０から取得したＧＰＳ情報を基にして自機の位置に関する情報を所定の演算により算出して特定し、さらに自機の位置を特定した際の時刻を取得する。
【００４２】
なお、ＧＰＳ衛星２０による子機１０ａの位置の特定は、主に３種類の方式がある。次にＧＰＳ衛星による位置の特定方式について説明する。なお、本実施形態で用いる方式については後述する。
【００４３】
（スタンド・アロン（Stand Alone）方式）
子機１０ａがＧＰＳ衛星２０と通信を行い、取得したＧＰＳ情報を基にして子機１０ａの位置特定部１０７が所定の演算を行い位置の特定を行う方式である。
【００４４】
（エムエス−アシスド（MS−Assisted）方式）
サーバ装置４０が子機１０ａから受信したＧＰＳ情報に基づいて、位置算出計算をすべてサーバ装置４０にて実行し、位置算出結果を子機１０ａへ返す方式である。
（エムエス−ベースド（MS−Based）方式）
子機１０ａがＧＰＳ衛星２０から取得したＧＰＳ情報と、サーバ装置４０がＧＰＳ衛星２０から取得した航法データ等のアシストデータとを用いて、子機１０ａの位置を子機１０ａ自身が算出する方式である。
【００４５】
判断部１０８は、設定された開始時刻と終了時刻との間の時刻になると、位置特定部１０７が算出した自機の位置情報と記憶部１０６が記憶している経路情報を基に、自機の位置が経路情報に記された経路上のいずれかの位置を中心とした所定半径Ｒ（たとえば半径Ｒ＝１００ｍ）の円の範囲内に存在するか否かを判断する。判断部１８の詳細については後述する。
【００４６】
通信部１０９は、アンテナ１１０を介して行われる通話等の音声情報、電子メール等の文字情報、画像データ、経路情報や緊急情報等のデータ通信を行う。また、通信部１０９は、アンテナ１１０を介して通信される電磁波の変調あるいは復調を行う。
【００４７】
通信用アンテナ１１０は、所定の周波数帯域における電磁波を基地局３０（図１を参照）に向けて送信、あるいは基地局３０から受信する。
【００４８】
ＧＰＳ通信部１１１は、ＧＰＳ用アンテナ１１２を介して、ＧＰＳ衛星２０から送出される信号を受信して増幅、変調等の処理を行い、自機の位置を特定する情報を取得する。
【００４９】
ＧＰＳ用アンテナ１１２は、所定の周波数帯域における電磁波をＧＰＳ衛星２０から受信する。
【００５０】
速さ算出部１１３は、位置特定部１０７からの位置情報や時刻を基に、使用者が移動している速さを算出する。
【００５１】
制御部１１４は、子機１０ａの各構成部を制御する。制御部１１４は、たとえば操作部１０４、送話用マイク１０５やその他の各部から所定の指示を受け、受話用スピーカ１０３、更新部１０１、記憶部１０６、位置特定部１０７、判断部１０８、通信部１０９、ＧＰＳ通信部１１１、および速さ算出部１１３を制御する。
【００５２】
バッテリ１１５は、たとえばリチウムイオン電池等の充電電池であり、外部電源１１６から電力が供給されることで充電され、充電された電力を制御部１１４等の電子部品に供給する。
【００５３】
外部電源１１６は、バッテリ１１５に電力を供給する。
【００５４】
次に、親機１０ｂの構成例について図５を用いて説明する。
【００５５】
図５は、本実施形態に係る親機１０ｂの構成例を示すブロック図である。
【００５６】
図５に示す親機１０ｂは、表示装置１０２、受話用スピーカ１０３、操作部１０４、送話用マイク１０５、記憶部１０６、通信部１０９、通信用アンテナ１１０、制御部１１４、バッテリ１１５、および外部電源１１６で構成されている。
【００５７】
親機１０ｂの各構成要素は、子機１０ａの各構成要素とそれぞれ同様であるため、その詳細な説明は省略する。なお、本実施形態を含む以後の実施形態において、第三者が使用している親機１０ｂの外観や構成は特に限定されず、公知の仕組みを利用した携帯電話機等を採用できる。
【００５８】
次に、サーバ装置４０の構成例について、図６を参照しながら説明する。
【００５９】
図６は、本実施形態に係るサーバ装置４０の構成例を示すブロック図である。
【００６０】
図６のサーバ装置４０は、演算部４１、サーバ電源４２、制御部１１４ａ、記憶部１０６ａ、通信部１０９ａ、更新部１０１ａ、位置特定部１０７ａ、判断部１０８ａ、および速さ算出部１１３ａで構成されている。
【００６１】
制御部１１４ａは、サーバ装置４０の記憶部１０６ａ、通信部１０９ａ、および演算部４１を制御する。
【００６２】
演算部４１は、サーバ装置４０が扱う種々の通信データ、音声情報や子機１０ａからの位置情報等の演算を行う。
【００６３】
記憶部１０６ａは、使用者の移動経路に関する経路情報や通信データ、音声情報等を種々のデータを記憶する。
【００６４】
通信部１０９ａは、通信網５０を介して行われる通話等の音声情報、電子メール等の文字情報、画像データ、経路情報や緊急情報等のデータ通信を行う。
【００６５】
更新部１０１ａは、親機１０ｂから経路情報を取得し、子機１０ａの経路情報を更新する。
【００６６】
位置特定部１０７ａは、通信部１０９ａを介して通信網５０に接続されている子機１０ａから取得したデータ（たとえばＧＰＳ衛星２０からの情報など）を基に、子機１０ａの位置に関する情報を所定の演算により算出して特定し、さらに子機１０ａの位置を特定した際の時刻を取得する。
【００６７】
判断部１０８ａは、サーバ装置４０の位置特定部１０７ａが算出した子機１０ａの位置情報と記憶部１０６ａが記憶している所定時刻の経路情報を基に、子機１０ａの位置が経路情報に記された経路上のいずれかの位置を中心とした所定半径Ｒ（たとえば半径Ｒ＝１００ｍ）の円の範囲内に存在するか否かを判断する。判断部１０８ａの動作は、子機１０ａの判断部１０８と同様であるので、その詳細については省略する。
【００６８】
速さ算出部１１３ａは、位置特定部１０７ａからの位置情報や時刻を基に、使用者が移動している速さを算出する。
【００６９】
サーバ電源４２は、サーバ装置４０の制御部１１４ａなどの各構成部に電力を供給する。
【００７０】
次に、子機１０ａの判断部１０８が行う動作について詳細に説明する。
【００７１】
図７は、本実施形態に係る判断部１０８が行う動作を説明するための図である。
【００７２】
説明を簡単にするため、使用者が地点Ａを出発し、図７に示す経路を経て地点Ｃへ徒歩で移動する経路情報が記憶部１０６に記憶されているものと仮定する。また、通常時には、使用者は地点Ｃへ向かう途中に地点Ｄを通過するが、時刻ｔにおいて使用者は経路から逸脱した地点Ｅに存在し、時刻ｔにて位置特定部１０７が自機の位置を特定したと仮定する。なお、本実施形態における通常時とは、使用者が、経路情報にしたがって行動をする状態である。
【００７３】
判断部１０８は、図７に示すように、時刻ｔで地点Ｄから所定の半径Ｒの円内に自機が存在するか否かを、記憶部１０６が記憶している経路情報の位置情報と位置特定部１０７が特定した位置情報とを比較して判断する。時刻ｔにおいて、使用者が地点Ｅにいるため、判断部１０８は、登録されている位置情報と異なると判断する。そして、判断部１０８は、通信部１０９が自機に関する内容を親機１０ｂに送信するように制御部１１４に指示する。
【００７４】
さらに判断部１０８は、速さ算出部１１３が算出した自機の移動速度（速さ）と記憶部１０６が記憶している経路情報の移動速度とを定期的に比較する。
【００７５】
たとえば、判断部１０８は、時刻ｔにおいて記憶部１０６の経路情報が有する移動速度と速さ算出部１１３が算出した自機の移動速度とを比較して、比較結果が通常の速度でない場合には、判断部１０８は、通信部１０９が自機に関する内容を親機１０ｂに送信するように制御部１１４に指示する。
【００７６】
なお、上記に述べた自機に関する内容とは、たとえば自機の位置や速度のデータ、あるいは使用者が置かれている状況が通常でないことを知らせる内容である。また、通常の速度でない場合とは、速さ算出部１１３による算出結果が、記憶部１０６に記憶されている移動速度のたとえば２倍程度である場合を指す。具体的には、たとえば経路情報の移動速度が４ｋｍ／ｓ以下（徒歩速度）に設定されている場合に、速さ算出部１１３による算出結果が、時速８ｋｍ／ｓと算出された場合である。
【００７７】
サーバ装置４０が有する判断部１０８ａについても、上記に説明した子機１０ａの判断部１０８と同様の動作であるため、説明を省略する。
【００７８】
次に、本通信システムの動作について図８を参照しながら説明する。説明を簡単にするために、本実施形態および以後の実施形態において、第三者が、使用者の移動経路、出発、到着時刻、移動手段等をあらかじめ把握しているものと仮定して説明する。たとえば、図２（ｂ）に示すように、使用者は地点Ａと地点Ｂの経路Ｐ１を徒歩で時刻８：００から１５：００の間に往復するものとする。
【００７９】
また、本実施形態は、子機１０ａがその位置を特定し、速さを算出し、第三者への通知を行うものである。
【００８０】
図８は、本実施形態に係る通信システム１の動作を説明するためのフローチャートである。
【００８１】
（ステップＳＴ１）
第三者は、親機１０ｂを用いて経路情報を設定する。例として、第三者は、開始時刻を８：００に、終了時刻を１５：００に、設定経路を経路Ｐ１に、移動速度を徒歩速度に設定する。
【００８２】
親機１０ｂは、経路情報にその送信元が親機１０ｂであることを識別する識別情報を付与して子機１０ａに送信する。そして、子機１０ａは経路情報を受信し、更新部１０１が識別情報により経路情報の送信元が親機１０ｂであることを確認した後、経路情報を受信した経路情報に更新し、記憶部１０６がその経路情報を記憶する。
【００８３】
（ステップＳＴ２）
子機１０ａの更新部１０１は、子機１０ａの経路情報の設定が完了したことを、たとえば電子メールで親機１０ｂに通知する。そして、親機１０ｂは、子機１０ａから設定確認等の内容が記載された電子メールを受信する。
【００８４】
（ステップＳＴ３）
子機１０ａの位置特定部１０７は、設定された開始時刻になると自機の位置を特定する。自機の位置の特定は、スタンド・アロン方式よって行われる。
【００８５】
ＧＰＳ通信部１１１はＧＰＳ衛星２０と通信を行って測位データを定期的に取得し、位置特定部１０７が測位データに基づいて所定の演算を行い、自機の位置を定期的に算出する。また、位置特定部１０７は、位置の算出時の時刻を取得する。
【００８６】
なお、位置の測定は、エムエス−ベースド方式を採用してもよい。この場合、通信部１０９は通信網５０を介してサーバ装置４０と通信を行い、サーバ装置４０からアシストデータを受信し、位置特定部１０７は、ＧＰＳ衛星２０から取得した情報とサーバ装置４０から取得したアシストデータを基にして自機の位置を算出する。また、自機（子機１０ａ）の位置を自機自身が特定できる方式であれば、その他の方式をとることができる。
【００８７】
（ステップＳＴ４）
速さ算出部１１３は、位置特定部１０７からの位置情報と時刻を基に、子機１０ａの移動速度を算出する。
【００８８】
（ステップＳＴ５）
子機１０ａの判断部１０８は、設定された開始時刻になると、位置特定部１０７が特定した自機の位置情報と記憶部１０６が記憶している所定時刻の経路情報との定期的な比較を開始し、さらに、子機１０ａの速さ算出部１１３が算出した自機の移動速度と記憶部１６が記憶している所定時刻の経路情報の移動速度との定期的な比較を開始する。
【００８９】
そして、判断部１０８は、位置特定部１０７による経路情報が記憶部１０６に記憶されている経路情報と異なると判断した場合、もしくは速さ算出部１１３が算出した移動速度が通常の移動速度でないと判断した場合は、子機１０ａの通信部１０９は、親機１０ｂにたとえば電子メールで緊急情報を通知する。以下の説明において、緊急情報は、たとえば子機１０ａの位置情報、移動速度、あるいは使用者が通常の状況でない等の情報である。
【００９０】
また、判断部１０８は、位置特定部１０７による経路情報が記憶部１０６に記憶されている経路情報と一致し、速さ算出部１１３が算出した移動速度が通常の移動速度であると判断した場合は、通信システム１は、所定の処理（たとえば、ステップＳＴ３に戻るなど）を実行する。
【００９１】
以上説明したように、本実施形態は、スケジューリング機能を有し、あらかじめ第三者が親機を用いて使用者の経路情報を登録しておく。スケジューリング機能は親機のみが設定可能にすることで、たとえば子供などの使用者による誤動作を防ぐことができる。また、スケジューリング機能は、第三者による移動経路などのスケジュールの変更が容易に変更可能で、経路情報の変更は直ちに反映される。さらに、本実施形態は、スケジューリング機能を有することで、たとえば使用者が突発的な事態に遭遇した場合に、第三者は直ちに緊急情報を自動的に受け取ることができる。また、本実施形態では、電子メールによる緊急情報の通知が可能であるため、第三者は使用者が置かれている状況を判断できる。
【００９２】
（第２実施形態）
次に、本発明の係る第２実施形態について説明する。
【００９３】
本実施形態に係る通信システム１は、第１実施形態に係る通信システム１と同様の構成である。また、子機１０ａおよび親機１０ｂの構成についても第１実施形態に係る子機１０ａ、親機１０ｂと同様の構成である。
【００９４】
次に、本通信システム１の動作について図９を参照しながら説明する。
【００９５】
本実施形態では、子機１０ａがその速さを算出し、第三者への通知を行い、サーバ装置４０が子機１０ａの位置を特定する。
【００９６】
図９は、本実施形態に係る通信システム１の動作を説明するためのフローチャートである。
【００９７】
（ステップＳＴ６）
第三者は、親機１０ｂを用いて経路情報を設定する。例として、第三者は、開始時刻を８：００に、終了時刻を１５：００に、設定経路を経路Ｐ１に、移動速度を徒歩速度に設定する。
【００９８】
親機１０ｂは、経路情報にその送信元が親機１０ｂであることを識別する識別情報を付与して子機１０ａに送信する。そして、子機１０ａは経路情報を受信し、更新部１０１が識別情報により経路情報の送信元が親機１０ｂであることを確認した後、経路情報を受信した経路情報に更新し、記憶部１０６がその経路情報を記憶する。
【００９９】
（ステップＳＴ７）
子機１０ａの更新部１０１は、子機１０ａの経路情報の設定が完了したことを、たとえば電子メールで親機１０ｂに通知する。そして、親機１０ｂは、子機１０ａから設定確認等の内容が記載された電子メールを受信する。
【０１００】
（ステップＳＴ８）
サーバ装置４０の位置特定部１０７ａは、子機１０ａの位置を特定する。子機１０ａの位置の特定は、エムエス−アシスド方式によって行われる。
【０１０１】
サーバ装置４０（図１を参照）は、子機１０ａがＧＰＳ衛星２０と通信して取得した時刻情報等のＧＰＳ情報を子機１０ａから受信する。そして、サーバ装置４０は、子機１０ａから取得したＧＰＳ情報等のデータを用いて演算を行い、子機１０ａの位置を算出し、さらに位置の算出時の時刻を取得し、算出結果を子機１０ａに送信する。そして、子機１０ａの通信部１０９（本発明では位置情報受信部に対応）は、サーバ装置４０から子機１０ａの位置や時刻に関する情報を受信する。
【０１０２】
なお、子機１０ａの位置をサーバ装置４０が特定できる方式であれば、その他の方式をとることができる。
【０１０３】
（ステップＳＴ９）
子機１０ａの速さ算出部１１３は、位置特定部１０７からの位置情報と時刻を基に、子機１０ａの移動速度を算出する。
【０１０４】
（ステップＳＴ１０）
子機１０ａの判断部１０８は、設定された開始時刻になると、位置特定部１０７が特定した自機の位置情報と記憶部１０６が記憶している各時刻における経路情報との定期的な比較を開始し、さらに、子機１０ａの速さ算出部１１３が算出した自機の移動速度と記憶部１０６が記憶している各時刻における経路情報の移動速度との定期的な比較を開始する。
【０１０５】
そして、判断部１０８は、位置特定部１０７による経路情報が記憶部１０６に記憶されている経路情報と異なると判断した場合、もしくは速さ算出部１１３が算出した移動速度が通常の移動速度でないと判断した場合は、子機１０ａの通信部１０９は、親機１０ｂにたとえば電子メールで緊急情報を通知する。
【０１０６】
また、判断部１０８は、位置特定部１０７による経路情報が記憶部１０６に記憶されている経路情報と一致し、速さ算出部１１３が算出した移動速度が通常の移動速度であると判断した場合は、通信システム１は、所定の処理（たとえば、ステップＳＴ８に戻るなど）を実行する。
【０１０７】
本実施形態においても、たとえば使用者が突発的な事態に遭遇した場合に、第三者は直ちに緊急情報を自動的に受け取ることができ、第１実施形態と同様の効果を得ることができる。
【０１０８】
（第３実施形態）
次に、本発明の係る第３実施形態について説明する。
【０１０９】
本実施形態に係る通信システム１は、第１、第２実施形態に係る通信システム１と同様の構成である。また、子機１０ａおよび親機１０ｂの構成についても第１、第２実施形態に係る子機１０ａ、親機１０ｂと同様の構成である。
【０１１０】
次に、本通信システム１の動作について図１０を参照しながら説明する。
【０１１１】
本実施形態では、サーバ装置４０が子機１０ａの位置を特定し、速さを算出し、第三者への通知を行う。
【０１１２】
図１０は、本実施形態に係る通信システム１の動作を説明するためのフローチャートである。
【０１１３】
（ステップＳＴ１１）
第三者は、親機１０ｂを用いて経路情報を設定する。例として、第三者は、開始時刻を８：００に、終了時刻を１５：００に、設定経路を経路Ｐ１に、移動速度を徒歩速度に設定する。
【０１１４】
親機１０ｂは、経路情報にその送信元が親機１０ｂであることを識別する識別情報を付与してサーバ装置４０に送信する。そして、サーバ装置４０は経路情報を受信し、サーバ装置４０の更新部１０１ａが識別情報により経路情報の送信元が親機１０ｂであることを確認した後、更新部１０１ａが経路情報を受信した経路情報に更新し、記憶部１０６ａがその経路情報を記憶する。
【０１１５】
（ステップＳＴ１２）
サーバ装置４０の更新部１０１ａは、サーバ装置４０の経路情報の設定が完了したことを、たとえば電子メールで親機１０ｂに通知する。そして、親機１０ｂは、サーバ装置４０から設定確認等の内容が記載された電子メールを受信する。
【０１１６】
（ステップＳＴ１３）
サーバ装置４０の位置特定部１０７ａが、子機１０ａの位置を特定する。子機１０ａの位置の特定は、エムエス−アシスド方式によって行われる。
【０１１７】
サーバ装置４０は、子機１０ａがＧＰＳ衛星２０と通信して取得したＧＰＳ情報（子機１０ａが受信した時刻を含む）を子機１０ａから受信し、子機１０ａから取得した上記ＧＰＳ情報から所定の演算を行って、子機１０ａの位置を算出する。さらに、サーバ装置４０は、子機１０ａの位置が測定された時の時刻を受信したＧＰＳ情報から取得する。
【０１１８】
なお、子機１０ａの位置をサーバ４０が特定できる方式であれば、その他の方式をとることができる。
【０１１９】
（ステップＳＴ１４）
サーバ装置４０の速さ算出部１１３ａは、位置特定部１０７ａからの位置情報と時刻を基に、子機１０ａの移動速度を算出する。
【０１２０】
（ステップＳＴ１５）
サーバ装置４０の判断部１０８ａは、設定された所定時刻になると、位置特定部１０７ａが特定した子機１０ａの位置情報と記憶部１０６ａが記憶している経路情報との定期的な比較を開始する。さらに、サーバ装置４０ａの速さ算出部１１３ａが算出した自機の移動速度と記憶部１０６ａが記憶している経路情報の移動速度との定期的な比較を開始する。
【０１２１】
そして、サーバ装置４０の判断部１０８ａは、位置特定部１０７ａによる経路情報が記憶部１０６ａに記憶されている経路情報と異なると判断した場合、もしくは速さ算出部１１３ａが算出した移動速度が通常の移動速度でないと判断した場合は、サーバ装置４０の通信部１０９は、親機１０ｂにたとえば電子メールで緊急情報を通知する。
【０１２２】
また、サーバ装置４０の判断部１０８ａは、位置特定部１０７ａによる経路情報が記憶部１０６ａに記憶されている経路情報と一致し、速さ算出部１１３ａが算出した移動速度が通常の移動速度であると判断した場合は、通信システム１は、所定の処理（たとえば、ステップＳＴ１４に戻るなど）を実行する。
【０１２３】
本実施形態においても、たとえば使用者が突発的な事態に遭遇した場合に、第三者は直ちに緊急情報を自動的に受け取ることができ、第１実施形態と同様の効果を得ることができる。
【図面の簡単な説明】
【０１２４】
【図１】本実施形態に係る通信システムの一構成例を示す図である。
【図２】本実施形態に係る経路情報を説明するための一具体例を示す図である。
【図３】本実施形態に係る子機の外観を示す一例の図である。
【図４】本実施形態に係る子機の構成例を示すブロック図である。
【図５】本実施形態に係る親機の構成例を示すブロック図である。
【図６】本実施形態に係るサーバ装置の構成例を示すブロック図である。
【図７】本実施形態に係る判断部が行う処理を説明するための図である。
【図８】本実施形態に係る通信システムの動作を説明するためのフローチャートである。
【図９】本実施形態に係る通信システムの動作を説明するためのフローチャートである。
【図１０】本実施形態に係る通信システムの動作を説明するためのフローチャートである。
【符号の説明】
【０１２５】
１…通信システム、１０ａ…子機、１０ｂ…親機、２０…ＧＰＳ衛星、３０…基地局、４０…サーバ装置、４１…演算部、４２…サーバ電源、５０…通信網、１０１、１０１ａ…更新部、１０２…表示装置、１０３…受話用スピーカ、１０４…操作部、１０５…送話用マイク、１０６…記憶部、１０７、１０７ａ…位置特定部、１０８、１０８ａ…判断部、１０９…通信部、１１０…通信用アンテナ、１１３、１１３ａ…速さ算出部、１１４…制御部、１１５…バッテリ、１１６…外部電源。
【図１】
2008196900.tif 000003
【図２】
2008196900.tif 000004
【図３】
2008196900.tif 000005
【図４】
2008196900.tif 000006
【図５】
2008196900.tif 000007
【図６】
2008196900.tif 000008
【図７】
2008196900.tif 000009
【図８】
2008196900.tif 000010
【図９】
2008196900.tif 000011
【図１０】
2008196900.tif 000012